(57)【要約】      （修正有）【課題】二段式保護素子により二重安全保護を機能する安全ソケット構造を提供する。【解決手段】ボタン本体１０内において、ソケット１上蓋ケースに予めに設けられた凹槽１１内に、二段式保護素子２が設けられ、保護素子機構は対応する挿入穴があり、ボタン本体の内面に支持されるように設置され、常に、横方向に付勢されて、ボタン本体１０上の挿入穴を塞いでプラグを挿入することを制限するように、挿入穴がボタン本体上の挿入穴からずれる位置に付勢される凹槽塞ぎ板２０と、凹槽塞ぎ板２０に重ね合うように設置され、ボタン本体１０の内面とともに、凹槽塞ぎ板２０の横方向の摺動空間を形成する定位シート２１と、ボタン本体１０と一体になって、その内面中央から垂直に下へ伸びて、底端に、エジェクターヘッド２２０が形成され、また、凹槽１１と定位シート２１との間にばね２３が設置され、ばね２３により、ボタン本体１０と二段式保護素子２が、常に、付勢ストロークの上死点に位置付けられるエジェクター２２と、が含有される。【選択図】図３
0003146623.tif 000002
【実用新案登録請求の範囲】
【請求項１】
主として、ソケットケースがあり、上記ケース内に、プラグのピンが挿入されて導通されるための正、負極導電リードが設けられる安全ソケット構造であって、
その周辺を含む上記ソケットの挿入穴を利用して、直接に、ボタン本体を形成し、上記ボタン本体内において、ソケット上蓋ケースに予めに設けられた凹槽内に、二段式保護素子が設けられ、上記保護素子機構は、
対応する挿入穴があり、上記ボタン本体の内面に支持されるように設置され、常に、横方向に付勢されて、ボタン本体上の挿入穴を塞いでプラグを挿入することを制限するように、上記挿入穴が上記ボタン本体上の挿入穴からずれる位置に付勢される凹槽塞ぎ板と、
上記凹槽塞ぎ板に重ね合うように設置され、上記ボタン本体の内面とともに、凹槽塞ぎ板の横方向の摺動空間を形成する定位シートと、
上記ボタン本体と一体になって、その内面中央から垂直に下へ伸びて、底端に、エジェクターヘッドが形成され、また、凹槽と定位シートとの間にばねが設置され、上記ばねにより、上記ボタン本体と二段式保護素子が、常に、付勢ストロークの上死点に位置付けられるエジェクターと、が含有される、ことを特徴とする安全ソケット構造。
【考案の詳細な説明】
【技術分野】
【０００１】
本考案は、電線アクセサリに関し、特に、安全ソケット構造に関する。
【背景技術】
【０００２】
従来のプラグやソケット構造は、主として、プラグソケットの挿入穴内に、電源や負荷導線を連接するための、一般として銅からなるＵ型金属挟みシートが設けられ、プラグピンとプラグソケットが連接される時、上記挿入穴にある挟みシートで、上記プラグピンを挟み持つことにより連接されるが、ソケットの正負極が誤って導通されることにより電線が炎上することがあり、ソケットの正負極の間が、水に濡れることや湿気あるいは子供が導体を遊んで誤ってソケット挿入穴に挿入することにより、または、使用者を介して接地状態になることにより、電線が炎上する恐れや電撃の恐れがある。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、二段式保護素子により２重安全保護を機能する安全ソケット構造を提供する。
【課題を解決するための手段】
【０００５】
本考案の請求項１は、主として、ソケットケースがあり、上記ケース内に、プラグのピンが挿入されて導通されるための正、負極導電リードが設けられる安全ソケット構造であって、その周辺を含む上記ソケットの挿入穴を利用して、直接に、ボタン本体を形成し、上記ボタン本体内において、ソケット上蓋ケースに予めに設けられた凹槽内に、二段式保護素子が設けられ、上記保護素子機構は、対応する挿入穴があり、上記ボタン本体の内面に支持されるように設置され、常に、横方向に付勢されて、ボタン本体上の挿入穴を塞いでプラグを挿入することを制限するように、上記挿入穴が上記ボタン本体上の挿入穴からずれる位置に付勢される凹槽塞ぎ板と、上記凹槽塞ぎ板に重ね合うように設置され、上記ボタン本体の内面とともに、凹槽塞ぎ板の横方向の摺動空間を形成する定位シートと、上記ボタン本体と一体になって、その内面中央から垂直に下へ伸び、底端に、エジェクターヘッドが形成され、また、凹槽と定位シートとの間にばねが設置され、上記ばねにより、上記ボタン本体と二段式保護素子が、常に、付勢ストロークの上死点に位置付けられるエジェクターと、が含有される、ことを特徴とする安全ソケット構造である。
【０００６】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００７】
図１乃至図３を参照しながら、本考案は、その周辺を含むソケット１の挿入穴１００を利用して、直接に、ボタン本体１０を形成し、上記ボタン本体１０内において、ソケット１の上蓋ケースに予めに設けられた凹槽１１内に、二段式保護素子２が設けられ、上記保護素子２機構は、凹槽塞ぎ板２０や定位シート２１及び弾性エジェクター２２からなり、ソケット挿入穴１００の開閉を制御することとボタン弾性エジェクター２２で導電素子を付勢することにより、導通の２重制御を行い、２重安全保護の機能を実現する。
【０００８】
図４と図５のように、本考案は、主として、ソケット１ケースがあり、上記ケース内に、プラグ４のピンが挿入されて導通するための正負極導電挟みシート３が設けられ、本考案において、ソケット１の底座１２導電素子が、従来のものと、構成が同じであり、そのため、ソケットの底座１２について、説明を省略する。本考案は、主として、その周辺を含む上記ソケット１の挿入穴１００を利用して、直接にボタン本体１０を形成し、即ち、上記挿入穴１００は、自身が、ボタンになり、ボタン本体１０全体が、ソケット１の上蓋ケースに予めに設けられた凹槽１１内に位置し、また、上記ボタン本体１０内に、二段式保護素子２が設けられる。
【０００９】
上記二段式保護素子２は、
一番目の安全保護設計であり、上述挿入穴１００に対応する挿入穴２００があり、上記ボタン本体１０の内面に支持されるように設置され、常に、横方向に付勢されて、上記挿入穴２００を上記ボタン本体１０上の挿入穴１００からずれる位置に位置させ、また、挿入穴２００の一側に形成されるリブ２０１が、ボタン本体１０上の挿入穴１００を塞いでプラグ４を挿入することを制限するようにするための凹槽塞ぎ板２０と、
上記凹槽塞ぎ板２０に重ね合うように設置され、上記ボタン本体１０の内面とともに、凹槽塞ぎ板２０の横方向摺動空間を形成する定位シート２１と、
上記ボタン本体１０と一体になって、その底面中央から垂直に下へ伸びて、底端に、エジェクターヘッド２２０が形成され、また、凹槽１１と定位シート２１との間にばね２３が設置され、上記ばね２３により、上記ボタン本体１０と二段式保護素子２が、常に、付勢ストロークの上死点に位置付けられ、二番目の安全保護設計であるエジェクター２２と、が含有される。
【００１０】
上述ソケット構造設計により、本考案によれば、水に漬けられることが無ければ、ソケット１の挿入穴１００が、凹槽塞ぎ板２０によって塞がれるため、水が、直接にソケット１内の導電素子に到達することが容易ではなく、また、プラグ４のピンが、ソケット１の挿入穴１００に対応して挿入される時、上記プラグ４のピンが、スムーズに、上記凹槽塞ぎ板２０を下へ一側に変位させ、この時プラグ４のピンが、スムーズに、ソケット１底座１２の導電挟みシート３に抵当でき、しかし、この時、導電していないままであり、プラグ４が、底まで、挿入されて、そして、上記ボタン本体１０が押されて降下すると、プラグ４の両ピンの間にある平面が、上記ボタン本体１０に抵当するとともに、エジェクター２２が下へ押され、この時、上記エジェクター２２のエジェクターヘッド２２０が、上記導電内側リード３０に抵当して回路が形成されて導電され、そのため、導体が誤ってソケット挿入穴１００に挿入される時、エジェクター２２が、有効に下へ作動しなければ、不導電状態に維持し、また、凹槽塞ぎ板２０の設計により、上記挿入穴２００の周縁の一側にリブ２０１があって、挿入穴１００を塞ぐ時、上記挿入穴１００内に抵当するため、単一の挿入穴１００に、異物導体が挿入される時、凹槽塞ぎ板２０のもう一つの挿入穴のリブ２０１が、依然として、挿入穴１００内に抵当し、そのため、上記凹槽塞ぎ板２０が、横方向に変位しなく、保護の閉鎖状態に維持し、凹槽塞ぎ板２０で挿入穴への挿入を防止する設計により、両挿入穴１００に同期且つ平均に挿入力を受けるだけ、凹槽塞ぎ板２０がスムーズに、下へ向かって一側に変位して開くようになる。
【００１１】
全体として、挿入穴１００を塞ぐことは、一番目の防止機構で、エジェクター２２が有効に作動して導電経路を構成することは、二番目の防止機構であり、これにより、２重安全保護が実現される。
【００１２】
そのため、本考案は、より進歩的かつより実用的で、法に従って実用新案登録請求を出願する。
【００１３】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１４】
【図１】本考案の立体構造の組立て概念図
【図２】本考案の立体分解概念図
【図３】本考案の立体構造分解と使用状態概念図
【図４】本考案の組立ての時の平面構造と動作状態概念図
【図５】本考案の組立ての時の平面構造と使用状態概念図
【符号の説明】
【００１５】
１      ソケット
１０    ボタン本体
１００  挿入穴
１１    凹槽
１２    底座
２      二段式保護素子
２０    凹槽塞ぎ板
２００  挿入穴
２０１  リブ
２１    定位シート
２２    エジェクター
２２０  エジェクターヘッド
２３    ばね
３      導電挟みシート
３０    内側リード
４      プラグ
【図１】
0003146623.tif 000003
【図２】
0003146623.tif 000004
【図３】
0003146623.tif 000005
【図４】
0003146623.tif 000006
【図５】
0003146623.tif 000007